【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
高屈折率のコア層を低屈折率のクラッド層で取り囲んだ構造を有する光導波路で且つ該光導波路をいずれかの方向に伝播する光の光軸に垂直な断面の光分布の広がりが、該光部品に対向する端面側では小さく、その反対側の端面に近づくに従って大きくなるか、又は該光部品に対向する端面側では大きく、その反対側の端面に近づくに従って小さくなる機能を有する導波路を含んで構成される第１の要素部品が第１の間隔で複数個配列された第１の光部品と、 第２の要素部品が第２の間隔で複数個配列された第２の光部品とを、 第１の要素部品の各々と第２の要素部品の各々が対向するよう基板上に配置し、該第１の間隔と該第２の間隔に差があることを特徴とする光結合装置。
【請求項２】
該基板上の一部に窪みを有し、当窪みに、その表面が基板表面と同じ高さになるように該第１要素部品の該光導波路のクラッド層の一部分が埋め込まれていることを特徴とする請求項１に記載の光結合装置。
【請求項３】
該基板表面の一部に窪みを有し、当窪みに、その表面が基板表面と同じ高さになるように前記クラッド層と同じかそれより低い屈折率を有するバッファ層が埋め込まれており、且つ、該バッファ層の上に該第１要素部品の該光導波路を設けたことを特徴とする請求項１に記載の光結合装置。
【請求項４】
該基板の表面に該第１要素部品の該光導波路のクラッド層と同じかそれより低い屈折率を有するバッファ層が形成され、該バッファ層の表面に該光導波路を設けたことを特徴とする請求項１に記載の光結合装置。
【請求項５】
該バッファ層の表面に該第２の光部品を載置していることを特徴とする請求項４に記載の光結合装置。
【請求項６】
該バッファ層が無機材料、該光導波路のクラッド層及びコア層が有機材料で形成されていることを特徴とする請求項３あるいは４に記載の光結合装置。
【請求項７】
該コア層の該バッファ層側にあるアンダークラッド層、該コア層の上側にあるアッパークラッド層を有機材料で構成し、該バッファ層とアンダークラッド層との間に無機材料の薄膜を挟み込むことを特徴とする請求項４あるいは５に記載の光結合装置。
【請求項８】
基板上の窪みに埋め込まれたバッファ層又はクラッド層が有機材料であることを特徴とする請求項２または３に記載の光結合装置。
【請求項９】
基板上に、互いに対向して載置された少なくとも一つの光導波路と少なくとも一つの光部品とを有し、該光導波路をいずれかの方向に伝播する光の光軸に垂直な断面の光分布の広がりが、該光部品に対向する端面側では小さく、その反対側の端面に近づくに従って大きくなるか、又は該光部品に対向する端面側では大きく、その反対側の端面に近づくに従って小さくなる機能を有することを特徴とする光結合装置。
【請求項１０】
該光導波路の構造が、少なくともその一部に、相対的に高屈折率で且つ光軸方向に進むに従いその断面積又は断面の形状が変化する部分を有する主コアの周囲を該主コアより低屈折率で且つ該光導波路のクラッド層より高屈折率の副コアで取り囲んだ複合コアを有するものであり、更に該複合コアの周囲が該クラッド層で取り囲まれたものであることを特徴とする請求項９に記載の光結合装置。
【請求項１１】
該光導波路が、少なくともその一部に、相対的に高屈折率で且つ光軸方向に進むに従いその断面積又は断面の形状が変化する部分を有する主コアを、該主コアより低屈折率で且つ該光導波路のクラッド層より高屈折率の副コアで上下又は左右の２方向からサンドイッチ状に挟み込んだ構造の複合コアを有するものであり、更に該複合コアの周囲を該クラッド層で取り囲んだ構造を有することを特徴とする請求項９に記載の光結合装置。
【請求項１２】
光軸方向に進むに従い該副コアの断面積又は断面の形状が変化する部分を有することを特徴とする請求項10または11に記載の光結合装置。
【請求項１３】
基板上に、少なくとも一カ所の曲がり部と該曲がり部の両端から伸びる二つの直線部とを具備した第１の光部品である光導波路と該光導波路直線部の一端に対向して載置された第２の光部品とを有し、少なくとも該光導波路曲がり部分が、相対的に高屈折率の主コアの周囲を該主コアより低屈折率で且つクラッド層より高屈折率の副コアで取り囲んだ複合コアを有するもので、且つ該複合コアの周囲が該クラッド層で取り囲まれたものであり、且つ該光導波路の少なくとも一つの直線部の一部に、主コアを含まない構成の光導波路部を有していることを特徴とする光結合装置。
【請求項１４】
基板上に、相対的に高屈折率のコアを相対的に低屈折率のクラッド層で取り囲んだ構造で且つ少なくとも１カ所の曲がり部と該曲がり部の両端から伸びる二つの直線部とを具備した第１の光部品である光導波路と、該光導波路の直線部の一端に対向して載置された第２の光部品とを有し、少なくとも該光導波路の直線部のうちの曲がり部から離れた領域のコアの断面積が曲がり部よりも相対的に小さくなっていることを特徴とする光結合装置。
【請求項１５】
該光導波路のクラッド層、副コア層、主コア層の少なくとも１層を有機物の層とすることを特徴とする請求項10乃至13に記載の光結合装置。
【請求項１６】
該光導波路の主コア層に無機材料を副コア層に有機材料を使用することを特徴とする請求項10乃至13に記載の光結合装置。
【請求項１７】
互いに接している有機物材料の層間に、更に無機材料の薄膜を追加して積層したことを特徴とする請求項８、15あるいは16に記載の光結合装置。
【請求項１８】
該光導波路を伝播する光の光軸に垂直な断面の光分布の広がりが、該第２の要素部品に対向する端面側では小さく、その反対側の端面に近づくに従って大きくなるか、又は該第２の光部品に対向する端面側では大きく、その反対側の端面に近づくに従って小さくなる機能を有することを特徴とする請求項１乃至８に記載の光結合装置。
【請求項１９】
該光導波路の構造が、少なくともその一部に、相対的に高屈折率で且つ光軸方向に進むに従い該光導波路を伝播する光ビームのスポットサイズが変化するようにその断面積又は断面の形状が変化する部分を有する主コアの周囲を該主コアより低屈折率で且つクラッド層より高屈折率の副コアで取り囲んだ複合コアを有するものであり、更に該複合コアの周囲がクラッド層で取り囲まれたものであることを特徴とする請求項18に記載の光結合装置。
【請求項２０】
該光導波路が、少なくともその一部に、相対的に高屈折率で且つ光軸方向に進むに従い該光導波路を伝播する光ビームのスポットサイズが変化するようにその断面積又は断面の形状が変化する部分を有する主コアを、該主コアより低屈折率で且つクラッド層より高屈折率の副コアで上下又は左右の２方向からサンドイッチ状に挟み込んだ構造の複合コアを有するものであり、更に該複合コアの周囲をクラッド層で取り囲んだ構造を有するものであることを特徴とする請求項18に記載の光結合装置。
【請求項２１】
該光導波路が、少なくともその一部に、光軸方向に進むに従い該光導波路を伝播する光ビームのスポットサイズが変化するように該副コアの断面積又は断面の形状が変化する部分を有することを特徴とする請求項19あるいは20に記載の光結合装置。
【請求項２２】
該第１の要素部品に、少なくとも１カ所の曲がり部と該曲がり部の両端から伸びる二つの直線部とを具備した光導波路が含まれ、且つ該第２の要素部品が該光導波路直線部の一端に対向して載置された構成を有し、少なくとも該光導波路の曲がり部が、相対的に高屈折率の主コアの周囲を該主コアより低屈折率で且つクラッド層より高屈折率の副コアで取り囲んだ複合コアを有するもので、且つ該複合コアの周囲がクラッド層で取り囲まれたものであり、且つ該光導波路の少なくとも一つの直線部の一部に、該主コアを含まない構成の光導波路部を有していることを特徴とする請求項１乃至８に記載の光結合装置。
【請求項２３】
該第１の要素部品に、相対的に高屈折率のコアを相対的に屈折率のクラッド層で取り囲んだ構造で且つ少なくとも１カ所の曲がり部と該曲がり部の両端から伸びる二つの直線部とを具備した光導波路が含まれ、且つ該第２の要素部品が該光導波路の直線部の一端に対向して載置された構成を有し、少なくとも該光導波路の直線部のうちの曲がり部から離れた領域にコアの断面積が曲がり部よりも相対的に小さくなっている光導波路部を有していることを特徴とする請求項１乃至８に記載の光結合装置。
【請求項２４】
該光導波路のクラッド層、副コア層、主コア層の少なくとも１層を有機物の層とすることを特徴とする請求項19乃至22に記載の光結合装置。
【請求項２５】
該主コア層に無機材料を該副コア層に有機材料を使用することを特徴とする請求項19乃至22に記載の光結合装置。
【請求項２６】
互いに接している有機材料の層間に、更に無機材料の薄膜を追加して積層したことを特徴とする請求項24あるいは25に記載の光結合装置。
【請求項２７】
該基板が該光導波路を伝播する光に対して透明で且つ該光導波路のクラッド層より低屈折率な材料であることを特徴とする請求項１、9乃至26に記載の光結合装置。
【請求項２８】
上下方向を除く周囲が光導波路形成部材で取り囲まれた空孔内に該第２の光部品が配置されており、該空孔の下方及び上方を塞ぐように形成された該基板及び蓋用部材により該空孔内に該第２の光部品が気密封止されていることを特徴とする請求項１乃至27に記載の光結合装置。
【請求項２９】
リング状の絶縁物を基体とする部材で、該リング状の基体をリングの内側から外側に貫通する電気配線パターンを有する電気配線部材を、該リング状の基体の底面が該光導波路形成部材の該空孔の外周部に接し且つ該リング状の基体の上面に該蓋用部材が接するように該光導波路形成部材と該蓋用部材との間に配置し、該第２の光部品を気密封止するとともに該第２の光部品に接続した電気配線パターンを外部に取り出すことを特徴とする請求項28に記載の光結合装置。
【請求項３０】
該光導波路部材の表面の該空孔の周囲にリング状の金属部材を接着させ、該金属部材の表面に該蓋用部材又はリング状の基体を接着させることにより前記気密封止をすることを特徴とする請求項28または29に記載の光結合装置。
【請求項３１】
該光導波路が、少なくとも該リング状の金属部材の下側部分については、相対的に高屈折率の主コアの周囲を該主コアより低屈折率で且つクラッド層より高屈折率の副コアで取り囲んだ複合コアを有し且つ該複合コアの周囲をクラッド層で取り囲んだものであることを特徴とする請求項30に記載の光結合装置。
【請求項３２】
該第１の間隔と該第２の間隔の差が、該第一の要素部品と該第２の要素部品とをそれぞれ単独に光結合する場合の結合トレランスの２倍以内であることを特徴とする請求項１に記載の光結合装置。